(57)【要約】【課題】      支持ピンに止着具の取付部とリ−ル部を直接嵌合支持して回動や回転をスム−ズにしたピンオンリ−ルを提供することである。【解決手段】  カップ状に形成されたケ−ス本体１とカップ状に形成された蓋部２が組み合わされてケ−ス本体１の開口１ａを蓋部２で閉塞され、ケ−ス本体１の外側には支持ピン３で衣服等への止着具４を有する取付部４ａが回動自在に支持され、止着具４に弾性金属材で形成された針ピン５が軸１０で保持されている。  ケ−ス本体１と蓋部２の内部にはリ−ル部６が支持ピン３で回転自在に支持され、リ−ル部６の内側凹部６ａ内に渦巻きばね７が収容されている。  リ−ル部６の糸巻き部６ｂには糸８が巻回され、糸８の先端には係止具９が取り付けられ、係止具９に爪切りなどの魚釣用小道具１１が係止されている。【選択図】        図３
2008173061.tif 000002
【特許請求の範囲】
【請求項１】
ケ−ス本体に衣服等への止着具を有する取付部を設けたピンオンリ−ルにおいて、前記取付部は支持ピンにより前記ケ−ス本体に回動自在に支持されていると共に、前記支持ピンはケ−ス本体に設けたリ−ル部を回動自在に支持していることを特徴とするピンオンリ−ル。
【請求項２】
ケ−ス本体はその開口を閉塞する蓋部を有するケ−ス体からなり、支持ピンは前記蓋部の前記ケ−ス本体の開口の閉塞状態を維持していることを特徴とする請求項１記載のピンオンリ−ル。
【発明の詳細な説明】
【技術分野】
【０００１】
本発明は、魚釣り等に用いるピンオンリ−ルに関する。
【背景技術】
【０００２】
従来から特許文献１のようなピンオンリ−ルを衣服等へ止着し、ピンオンリ−ルから引き出された糸に係止片を介してラインカッタ−や針外し等の魚釣用小道具を取り付けていた。
特許文献１のピンオンリ−ルは、ケ−シング本体の外側中心に筒状の突片が突出されてこの筒状の突片の外周に、衣服等への止着用取付部に穿設された透孔が回動自在に嵌め込まれている。
ケ−シング本体に取り付けられたケ−シング蓋部材の中心の筒状のスプ−ル支持軸の先端がケ−シング本体の内側中心の凹部に嵌合されている。
ケ−シング本体とケ−シング蓋部材は筒状のスプ−ル支持軸の筒内に挿入されて螺合された組立ねじで固定され、組立ねじで取付部が抜け止めされている。
ケ−シング本体とケ−シング蓋部材の内部空間にはボビン状のスプ−ルが収容されて筒状のスプ−ル支持軸の外周に回転自在に嵌合され、スプ−ルの中心凹部に渦巻きバネが収容されている。
特許文献１のピンオンリ−ルでは、比較的小径の筒状の突片に衣服等への止着用取付部の透孔が回動自在に嵌め込まれ、比較的小径の筒状のスプ−ル支持軸にスプ−ルが回転自在に嵌合されているので、ケ−シングにゆがみが出ると、回動や回転がスム−ズに出来なくなることである。
【特許文献１】特開２００５−２１０９３３号公報
【発明の開示】
【発明が解決しようとする課題】
【０００３】
解決しようとする問題点は、ケ−シングにゆがみが出ると、衣服等への止着用取付部の回動やスプ−ルの回転がスム−ズに出来なくなることである。
【０００４】
本発明の目的は前記欠点に鑑み、比較的太い支持ピンに止着具の取付部とリ−ル部を直接嵌合支持して回動や回転をスム−ズにしたピンオンリ−ルを提供することである。
【課題を解決するための手段】
【０００５】
本発明の請求項１は、ケ−ス本体に衣服等への止着具を有する取付部を設けたピンオンリ−ルにおいて、前記取付部は支持ピンにより前記ケ−ス本体に回動自在に支持されていると共に、前記支持ピンはケ−ス本体に設けたリ−ル部を回動自在に支持していることを要旨とするものである。
本発明の請求項２は、ケ−ス本体はその開口を閉塞する蓋部を有するケ−ス体からなり、支持ピンは前記蓋部の前記ケ−ス本体の開口の閉塞状態を維持していることを要旨とするものである。
【発明の効果】
【０００６】
本発明により、ケ−ス本体に回り止め保持された支持ピンに止着具の取付部が回動自在に嵌合されると共に、支持ピンにリ−ル部が回転自在に嵌合されているので、取付部の回動とリ−ル部の回転がスム−ズになる。
請求項２によると、支持ピンはケ−ス本体の開口を蓋部で閉塞するように維持しているので、止着具やリ−ル部が確実に保持されている。
【発明を実施するための最良の形態】
【０００７】
ピンオンリ−ルは、合成樹脂や金属材でカップ状に形成されたケ−ス本体１と合成樹脂や金属材でカップ状に形成された蓋部２が組み合わされてケ−ス本体１の開口１ａを蓋部２で閉塞されている。
ケ−ス本体１の外側には支持ピン３で衣服等への止着具４を有する取付部４ａが回動自在に支持され、止着具４に弾性金属材で形成された針ピン５が軸１０で保持されている。
ケ−ス本体１と蓋部２の内部にはリ−ル部６が支持ピン３で回転自在に支持され、リ−ル部６の内側凹部６ａ内に渦巻きばね７が収容されている。
リ−ル部６の糸巻き部６ｂには糸８が巻回されている。
糸８の先端には係止具９が取り付けられ、係止具９に爪切りなどの魚釣用小道具１１が係止されている。
【実施例１】
【０００８】
以下、図示の実施例によって本発明を説明すると、図１から図３は第１実施例で図１は衣服にピンオンリ−ルを装着した説明図、図２はピンオンリ−ルの正面面、図３はピンオンリ−ルの拡大断面側面図である。
【０００９】
ピンオンリ−ルは、合成樹脂や金属材でカップ状に形成されたケ−ス本体１と合成樹脂や金属材でカップ状に形成された蓋部２が組み合わされてケ−ス本体１の開口１ａを蓋部２で閉塞されている。
ケ−ス本体１の外側には支持ピン３で衣服等への止着具４を有する取付部４ａが回動自在に支持され、止着具４に弾性金属材で形成された針ピン５が軸１０で保持されている。
ケ−ス本体１と蓋部２の内部にはリ−ル部６が支持ピン３で回転自在に支持され、リ−ル部６の内側凹部６ａ内に渦巻きばね７が収容されている。
リ−ル部６の糸巻き部６ｂには糸８が巻回されている。
糸８の先端には係止具９が取り付けられ、係止具９に爪切りなどの魚釣用小道具１１が係止されている。
【００１０】
ケ−ス本体１の底部１ｂの中心に回り止め透孔１ｃが穿設され、筒部１ｄに糸８の引出し透孔１ｅが穿設されて透孔１ｅに環１２が嵌合されている。
透孔１ｃは支持ピン３の回り止め孔に形成されている。
開口１ａの外側は段部１ｆが形成されている。
蓋部２の筒部２ａの内側は段部１ｆに嵌合され、蓋部２の底部２ｂ中心に凹部２ｃが形成されて凹部２ｃの中心に透孔２ｄが穿設されている。
蓋部２の底部２ｂの外側には装飾板１３が固定されている。
止着具４は細長い取付部４ａと、取付部４ａの中心に穿設された透孔４ｂと、取付部４ａの一側両側に起立片４ｃが形成されて軸１０が取り付けられ、軸１０に針ピン５の一側環部が保持され、一端５ａは取付部４ａに押し当てられる。
取付部４ａの他側片側に起立片４ｄが形成されると共に上側に折り曲げ部で係止部４ｅが形成されて係止部４ｅから取付部４ａ側に折り返し部４ｆが形成されている。
針ピン５の他端５ｂの先端は尖っていて他端５ｂは針ピンの弾性に抗して折り返し部４ｆを下側から乗り越えて係止部４ｅに係止される。
【００１１】
支持ピン３は頭部３ａと、止着具４の透孔４ｂが嵌合される円形部３ｂと、ケ−ス本体１の回り止め透孔１ｃに嵌合される円形部３ｃと、リ−ル部６の中心透孔６ｃが嵌合される円形部３ｄと、蓋部２の透孔２ｄが嵌合される円形部３ｅが形成されている。
頭部３ａには６角穴３ｆが形成され、円形部３ｄと円形部３ｅの中心にねじ穴３ｇが形成されてねじ１４が螺合されている。
止着具４の透孔４ｂが嵌合される円形部３ｂの長さは取付部４ａの厚さより幾分長く形成されている。
円形部３ｄには渦巻きばね７の巻き心側の一端７ａがはめ込まれる溝３ｈが形成されている。
リ−ル部６の糸巻き部６ｂの内側に渦巻きばね７の外側の他端７ｂがはめ込まれる溝６ｃが形成されている。
【００１２】
このピンオンリ−ルを使用する時は、釣り人の衣服等に針ピン５の尖っている他端５ｂが差し込まれて後、他端５ｂが図３で２点鎖線ａの状態から２点鎖線ｂのように針ピンの弾性に抗して折り返し部４ｆを下側から乗り越えて実線及び破線のように係止部４ｅに係止される。
次に魚釣用小道具１１が使用される時は、魚釣用小道具１１が引き下げられると、糸８が引き出されてリ−ル部６が渦巻きばね７の巻き込み力に抗して回転されて繰り出される。
魚釣用小道具１１が使用後離されると、渦巻きばね７の巻き込み力でリ−ル部６が逆方向に回転されて糸８が巻き込まれる。
【００１３】
前記のようにピンオンリ−ルが構成されると、ケ−ス本体１に回り止め保持された支持ピン３に止着具４の取付部４ａが回動自在に嵌合されると共に、支持ピン３にリ−ル部６が回転自在に嵌合されているので、取付部４ａとリ−ル部６が同じ支持ピン３で支持されて回動するため、ピンオンリ−ルに歪むような負荷がかかっても回動中心の軸方向が共通であるため取付部４ａの回動とリ−ル部６の回転がスム−ズになる。
支持ピン３はケ−ス本体１の開口１ａを蓋部２で閉塞するようにねじ１４とで保持しているので、止着具４やリ−ル部６が確実に保持されている。
【実施例２】
【００１４】
図４は第２実施例で、図４はピンオンリ−ルの拡大断面側面図である。
【００１５】
第２実施例のピンオンリ−ルは、ケ−ス本体１′が合成樹脂の外側本体１ｇと合成樹脂または金属材の内側本体１ｈでカップ状に形成されている。
支持ピン３はねじの螺合に変えて蓋部２にカシメで固定されている。
第２実施例においても取付部４ａとリ−ル部６が同じ支持ピン３で支持されているため取付部４ａの回動とリ−ル部６の回転がスム−ズである。
また、支持ピン３はケ−ス本体１′の開口１ａを蓋部２で閉塞するように確実に保持し、しかも、支持ピン３はカシメにより蓋部２に係合しているため第１実施例より構造が簡単でゆるみが防止されている。
他の構成は前記第１実施例と略同一である。
【産業上の利用可能性】
【００１６】
本発明はピンオンリ−ルの全般に利用できる。
【図面の簡単な説明】
【００１７】
【図１】第１実施例で、衣服にピンオンリ−ルを装着した説明図である。
【図２】同ピンオンリ−ルの正面面である。
【図３】同ピンオンリ−ルの拡大断面側面図である。
【図４】第２実施例で、ピンオンリ−ルの拡大断面側面図である。
【符号の説明】
【００１８】
１、１′  ケ−ス本体
１ａ  開口
２  蓋部
３  支持ピン
４  止着具
４ａ  取付部
６  リ−ル部
【図１】
2008173061.tif 000003
【図２】
2008173061.tif 000004
【図３】
2008173061.tif 000005
【図４】
2008173061.tif 000006